(57)【特許請求の範囲】
【請求項１】
略矩形状で幅方向の断面がコ字型で長手方向の中央部幅が狭く括れた形状を成し縁部にギャザーが植立され非通水性かつ非通気性の薄肉シートによる軟質可撓性素材で形成され内面に撥水処理が施された外皮シートに尿を吸収する収尿材を収納し、通水性で難通気性である混紡の不織布であり前記収尿材の上面を覆うようにされ前記外皮シートの縁部までに配置され、前記外皮シートと共に前記収尿材の通気の気密性を保持し、排尿部の近辺領域の肌に接し、ＪＩＳＬ  １０９６の６．２７．１規格で通気性Ａ法として規定された通気性が、乾燥状態において、２０〜２００ｃｃ／ｃｍ２／秒であり、湿潤状態において、０〜１００ｃｃ／ｃｍ２／秒である表面シートが配置された尿レシーバと、
少なくとも２層であり前記外皮シートの底面側の吸水性が他より高く、かつ発泡体又は空隙構造体とされた収尿材と、
密閉されている尿タンクと、
前記外皮シートの底面に穿設された導尿口の一端が接着された第１の導尿チューブと、
軟質材で形成されたワンタッチジョイントによって前記第１の導尿チューブの他端と接続され尿を前記尿タンクへ導き、軟質可撓性素材で形成された第２の導尿チューブと、
前記尿タンク内の圧力を低下させる真空ポンプと、
前記第１の導尿チューブに沿って配置され前記導尿口付近で排尿により電気的に導通し、前記真空ポンプを制御する制御基板に尿検知信号を加える尿センサと、
を備え、前記尿検知信号により装着者が排尿すると前記真空ポンプを起動して前記収尿材を収縮して尿を搾りだし、尿を前記収尿材から前記第１の導尿チューブ、前記ワンタッチジョイント、前記第２の導尿チューブを介して前記尿タンクへ導くことを特徴とする自動排尿処理装置。
【請求項２】
請求項１に記載のものにおいて、前記尿タンクは２００ｍｌから１０００ｍｌの容量とされたことを特徴とする自動排尿処理装置。
【請求項３】
請求項１に記載のものにおいて、前記収尿材は、厚みが５ｍｍ程度で、約５００ｍｌの尿が蓄積可能とされたことを特徴とする自動排尿処理装置。
【発明の詳細な説明】
【０００１】
【発明の属する技術分野】
本発明は、寝たきり老人、入院患者、身障者、その他の自分の意志で排尿をコントロールしたり始末するのが困難な人に装着して排尿を処理する自動排尿処理装置およびそれに用いる尿レシーバに関する。
【０００２】
【従来の技術】
【特許文献１】
特開平７−１７１１８２号公報
【特許文献２】
特開平１１−１１３９４６号公報
人間は、老化、身体障害、怪我や病気での入院、その他様々な身体の状態によって、自分の意志で排尿をコントロールすることが困難になったり、また尿を自力での後始末が困難になることがある。このようになると、一般的には膀胱に管を直接挿入して採尿したり、紙おむつを使用するようにしている。
【０００３】
膀胱に直接管を挿入する場合には、使用者の不快感も大きく、また尿道や膀胱を傷つけたり感染症を引き起こす可能性が高いなど、専門的な知識と滅菌された専用の器具がないと処理が困難になる。
【０００４】
また、紙おむつは、長時間装着すると尿漏れが起こったり、また装着者の不快感や、蒸れ、被れなどの皮膚疾患を生じることがある。そのため、頻繁な取替えが必要となり、装着者及び介護者の精神的、肉体的負担も多くなる。精神的、肉体的負担は日常生活の中でも非常に大きな割合を占め、その上、経済的な負担も大きくなる。
【０００５】
このような問題を解決するために、尿レシーバ本体に収納された吸水性厚肉シートの収尿材に吸収された尿を真空ポンプによって吸引し尿タンクに導尿するようにしている。真空ポンプは密閉された尿タンク内の空気を吸引して大気圧との差圧により尿導チューブによって収尿材に吸収された尿を尿タンクに尿導する。このような自動排尿処理装置は、例えば、上述の特許文献１、２に記載されている。
【０００６】
【発明が解決しようとする課題】
従来技術は収尿材の尿受面、つまり装着者の排尿部との接触面が大気開放状態になっており、尿だけでなく空気も吸引することになり尿吸引の効率が低下する。このため、尿レシーバ（収尿材）の残尿量が多くなり装着者に不快感を与えることになる。尿レシーバの残尿量を少なくするには真空ポンプの容量を大きくしなければならず、排尿処理装置自体の重量、容積が大きくならざるを得なくなる。
【０００７】
このように、従来技術は尿レシーバの残尿量が多くなり、残尿量を低減しようとすると排尿処理装置が大型かつ重くなるという問題点を有する。
【０００８】
本発明の目的は、尿レシーバからの尿回収率を向上させ、小型かつ軽量化できる自動排尿処理装置およびそれに用いる尿レシーバを提供することにある。
【０００９】
【課題を解決するための手段】
本発明の特徴とするところは、断面コ字型を成し略矩形状の非通気性、非通水性の外皮シートに収尿材を収納し、収尿材の表面に非通気性の表面シートを配置した尿レシーバを用い、外皮シートの底面に穿設されている導尿口から導尿チューブを介して密閉されている尿タンクに真空ポンプにより尿を導くようにしたことにある。
【００１０】
換言すると、本発明は非通気性、非通水性の外皮シートに収尿材を収納し、外皮シートの縁部（脚部）上端を難通気性、通水性の表面シートで覆い、収尿材を外皮シートと表面シートによって通気の気密性（密閉性）を高くして保持し、真空ポンプにより収尿材内の空気圧を低下させて外皮シートの導尿口から導尿チューブを介して尿タンクに尿を導くものである。
【００１１】
本発明に用いる尿レシーバは収尿材を外皮シートと表面シートによって通気の気密性を高くして保持しているので、収尿材は収尿材内の空気圧の低下に伴い圧縮され尿が搾り出されるので尿の回収率が向上し尿レシーバの残尿量を低減できる。尿の回収率が向上すると吸引力の小さい小容量の真空ポンプで収尿材から吸尿できる。したがって、尿レシーバから装着者に不快感を与えることなく尿を回収でき、装置を小型かつ軽量化することができる。
【００１２】
【発明の実施の形態】
本発明の一実施例を図１〜４に示す。図１は本発明の自動排尿処理装置の全体構成図を示し、図２は尿レシーバの詳細構成図、図３は図２のＡ−Ａ断面図、図４は図２のＢ矢視観断面図を示している。なお、図２（ａ）は一部破断して図示している。
【００１３】
図１〜４において、装着者の排尿部から排泄される尿を吸収する尿レシーバ１は略矩形状で長手方向の中央部が幅が狭くなり括れた形状に形成され、表面シート２、収尿材３、外皮シート４およびギャザー５により構成されている。表面シート２は不織布のような軟質可撓性素材で形成され、収尿材３、外皮シート４およびギャザー５も軟質可撓性素材で形成される。
【００１４】
尿レシーバ１を構成する外皮シート４は図２に示すように略矩形状で、長手方向の中央部が幅が狭くなり括れた形状に形成されている。長手方向の中央部が括れた形状にしているのは装着者の股間にフィットするようにするためである。
【００１５】
外皮シート４は幅方向の断面が図３に示すようにコ字型を成し、底面に導尿口４ｂが穿設されている。外皮シート４は長手方向の断面も大きさが異なるだけで図３に示すようにコ字型形状になる。外皮シート４は略矩形状の外形輪郭に沿って縁部（コ字型形状の脚部）４ａが形成されている。
【００１６】
外皮シート４は非通水性、非通気性の薄肉シートで、例えば、ポリエチレンフィルムを素材にして構成されている。外皮シート４は長さが２００〜３００mm程度で、幅が５０〜１００mm程度である。なお、外皮シート４は非通水性、非通気性の部材であればよいが、長時間装着した時の蒸れ等に考慮した材質の部材を用いるのが望ましい。
【００１７】
外皮シート４の外面（表面）はポリプロピレン不織布などの表面材（図示せず）がラミネートされ、柔らかな肌触りにして装着者の肌触りの不快感をなくすようにしている。また、外皮シート４の内面は撥水性を有するように表面処理が施されている。
【００１８】
収尿材３は外皮シート４に収納されており、収尿材３の表面（上面）を覆うように通水性、難通気性の表面シート２が配置されている。表面シート２は外皮シート４の縁部（脚部）４ｂの上端に接着して配置されており、外皮シート４と表面シート２によって収尿材３を通気の気密性を高くして保持している。
【００１９】
ここで、表面シート２の難通気性とは、JIS  L  1096の6.27.1に規定される、一般織物試験方法の通気性Ａ法に従って測定した通気性が、表面シート２の湿潤状態において、０〜１００cc／ｃｍ２／秒、好ましくは０〜５０cc／ｃｍ２／秒の範囲にあるのが望ましいものである。また、表面シート２の乾燥状態においては、２０〜２００cc／ｃｍ２／秒、好ましくは２０〜１００cc／ｃｍ２／秒、さらに好ましくは２０〜５０cc／ｃｍ２／秒の範囲にあるのが望ましい。
【００２０】
なお、湿潤状態とは下記の式で求められる表面シート２の含水率（％）が１００％以上の状態のことであり、乾燥状態とは２０℃、RH６０％の雰囲気中に十分に放置して乾燥させた状態、もしくは、いわゆる公定水分率にある状態のことである。
【００２１】
含水率＝（湿潤時のシート重量―乾燥時のシート重量）／（乾燥時の  シート重量）            …（式１）
さて、収尿材３は厚みが５mm程度で、約５００ｍｌの尿を蓄積できるように構成されている。成人の平均的な一回分の排尿量では３００ｍｌ程度の蓄積量があればよいが、装着者が座位の時に人体と座面との間に尿レシーバ１が当たった時の尿レシーバ１に加わる圧力や、股関節を閉じた時に尿レシーバ１が挟まれることによって生じる圧力等によって、尿レシーバ１の蓄尿率低下等を考慮し余裕を持たせた蓄尿量にしている。
【００２２】
表面シート２は、例えば、ポリプロピレン、ポリオレフィン・ポリエステルにコットンを混紡した通水性を有し難通気性の不織布で形成され、装着者の皮膚との摩擦を最少になるようにしている。また、表面シート２として用いる不織布は装着者の排尿部の近辺領域の肌に接する面をメッシュシートにして吸水性、吸汗性を高くし尿をメッシュシートの細かい気孔から速やかに吸収材３に吸収させるようにしている。装着者は尿を速やかに吸収材３に吸収させることにより排尿部近辺の濡れた感触が少なくなる。
【００２３】
外皮シート４の縁部４ａの上端には図３、図４に示すように外皮シート４の外形輪郭の内側に傾斜して植立した立体のギャザー５が形成されている。傾斜植立した立体ギャザー５は装着者の動作や体位移動などによる横漏れを防止する。また、外皮シート４の底面の外面には図２（ｂ）に示すように２本のずれ止テープ（両面テープ）６が設けられている。ずれ止テープ６は装着者の下着に接着し尿レシーバ１のずれを抑制する。
【００２４】
外皮シート４の底面に穿設された導尿口４ｂには導尿チューブ１１ａの一端が接着されている。導尿チューブ１１ｂの一端にワンタッチジョイント１３が取付けられており、ジョイント１３によって導尿チューブ１１ａの他端と導尿チューブ１１ｂの一端が接続される。導尿チューブ１１ａ、１１ｂは軟質可撓性素材で形成され、ワンタッチジョイント１３の軟質材で形成される。
【００２５】
尿タンク２１は蓋２２により密閉されている。導尿チューブ１１ｂの他端は尿タンク２１の蓋２２を貫通して尿タンク２１の気相部２１ａに位置するように配置されている。また、真空ポンプ３１に一端を連結された吸引チューブ１１ｃの他端も尿タンク２１の蓋２２を貫通して尿タンク２１の気相部２１ａに位置するように配置されている。導尿チューブ１１ｃも導尿チューブ１１ａ、１１ｂと同様に軟質可撓性素材で形成されている。
【００２６】
尿タンク２１の容量は、２回分の排尿を蓄えられる５００ｍｌ程度であるが、２００ｍｌ、あるいは夜間などの長時間用として１０００ｍｌにすることもできる。
【００２７】
真空ポンプ３１はモータ３２によって駆動される。モータ３２はバッテリ３３を駆動電源とし、制御基板３４に搭載された制御装置により制御される。真空ポンプ３１の体格は径が３０ｍｍ×７０ｍｍ程で小さく、また、バッテリ３３の電圧は６Ｖ程度である。
【００２８】
収尿材３に尿が吸尿されたことを検知する尿センサ１２は導尿チューブ１１ａに沿って配置され、チューブ１１ａの一端入口付近（導尿口４ｂ付近）で排尿により電気的に導通する。尿センサ１２は電気導体で、抵抗値の変化により装着者の排尿を検知する。尿センサ１２で検知した尿検知信号は真空ポンプ３１を制御する制御基板３４に加えられる。
【００２９】
この構成において、尿レシーバ１は図５に示すように装着者（図示せず）の下着４１内に表面シート２が排尿部に接触するように装着される。尿タンク２１、真空ポンプ３１、モータ３２などは装着者が携帯したり、装着者がベッドに寝ている場合にはベッドの上や下に載置される。
【００３０】
この状態で装着者が排尿すると、尿レシーバ１に排尿された尿は表面シート（不織布）２を通って収尿材３に吸尿される。収尿材３に吸収された尿が外皮シート４の導尿口４ｂに達すると、尿センサ１２が電気的に導通し尿検知信号を制御基板３４に加える。制御基板３４に搭載されている制御装置はモータ３２を起動させ真空ポンプ３１を駆動する。
【００３１】
真空ポンプ３１の駆動により尿タンク２１内の空気が排気されると、収尿材３内の空気圧が低下し導尿口４ｂに負圧が生じる。収尿材３は難通気性の表面シート２と非通気性の外皮シート４によって通気の気密性を保ち保持されているので、導尿チューブ１１ａを介して排気されると収尿材３にも負圧が加わる。
【００３２】
収尿材３は負圧が加わると尿レシーバ１周辺の大気圧との圧力差によって圧縮され図４（ａ）の状態から図４（ｂ）に示すように収縮する。収尿材３が収縮すると溜まっている尿が搾り出され、導尿口４ｂに案内される。導尿口４ｂに案内された尿は負圧によって導尿チューブ１１ａ，１１ｂを介して尿タンク２１に導かれ蓄えられる。
【００３３】
なお、外皮シート４の内面は撥水処理が施されており、収尿材３から搾り出され、収尿材３と外皮シート４との間に達した尿は速やかに導尿口４ａに導かれる。
【００３４】
尿タンク２１に蓄えられた尿はワンタッチジョイント１３により導尿チューブ１１ａと１１ｂの接続を外し尿タンク２１を運んで廃棄する。また、尿レシーバ１は、装着者が約１日使用した後に新しい尿レシーバ１と交換し、交換した古い尿レシーバ１を廃棄する。
【００３５】
このようにして装着者の排尿を処理するのであるが、本発明は収尿材３を難通気性の表面シート２で覆い、外皮シート４と表面シート２によって収尿材３を通気の気密性を高くして保持し真空ポンプ３１により吸尿している。
【００３６】
表面シート２として不織布を使用した本発明による尿レシーバ１を用い、真空ポンプ３１を１２０秒駆動して吸引した場合の吸尿材３からの尿回収率を測定したところ図６の特性ａのようになる。特性ａから明らかなように、真空ポンプ３１の吸引力が小さくても８０％弱の回収率が得られる。一方、難通気性の表面シート２が無い場合には特性ｂのようになり、真空ポンプ３１の吸引力を大きくしても６０％弱程度しか回収できなくなっている。
【００３７】
このように、本発明に用いる尿レシーバは収尿材の表面を通水性で難通気性の表面シートで覆うようにしているので、収尿材は収尿材内の空気圧の低下に伴い圧縮されて尿が搾り出されるので尿の回収率が向上し尿レシーバの残尿量を低減できる。尿の回収率が向上すると吸引力の小さい小容量の真空ポンプで収尿材から吸尿できることになる。したがって、尿レシーバが装着者に不快感を与えることなく尿を回収でき、装置を小型かつ軽量化することができる。
【００３８】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００３９】
図７に尿レシーバ１の他の例を示す。
【００４０】
図７は収尿材３を多層に積層配置した例を示し、収尿材３ａ，３ｂを２層に積層した例を示している。外皮シート４の底面側の収尿材３ｂの吸水性が収尿材３ａよりも高くなるように積層配置している。収尿材３ａは、親水化繊トウ束あるいはスポンジ系の材料で、収尿材３ｂは親水発泡体又は空隙構造体の材料である。
【００４１】
装着者が仰臥位や側臥位、座位など様々な姿勢をとることによって、身体と、床面や座面などとの間に挟まれ、収尿材３の一部が圧縮される。この状態で装着者が排尿すると、尿レシーバ１に排尿された尿が表面シート２を逆戻りすることがある。
【００４２】
図７に収尿材３ａ，３ｂを積層配置し下層の収尿材３ｂの吸水性を高くすることによって、排尿された尿は下層の収尿材３ｂへ収尿され尿が逆戻りするのを防止することができる。
【００４３】
なお、収尿材３は２層でなく多層に積層配置しても同様に尿が逆戻りするのを防止できることは明らかなことである。
【００４４】
本発明の他の実施例を図８〜１０に示す。図８は他の実施例の自動排尿処理装置の全体構成図を示し、図９は尿レシーバの一部破断した詳細構成図、図１０は図９のＣ−Ｄ断面拡大図を示している。図１０の一点鎖線の図示右側はＣ矢視観断面を示し、左側はＤ矢視観断面を示している。
【００４５】
図８〜１０に示す実施例において図１〜４に示す実施例と異なるところは、収尿材３を２層にし、表面シート２に接触する上層の収尿材３ａを幅方向に分割して配置し上層収尿材３ａの間に複数本の蛇腹状のバルーン７を配置したことである。
【００４６】
尿レシーバ１の収尿材３ａ、３ｂは図９、図１０（ａ）に示すように２層に積層して外皮シート４と表面シート２によって通気の気密性を高くして保持されている。上層の収尿材３ａは尿レシーバ１の幅方向に複数に分割され、所定間隔をおいて配置されている。
【００４７】
複数本の蛇腹状バルーン７は収尿材３ａの間に尿レシーバ１の長手方向に配置されている。バルーン７の長さは尿レシーバ１の長手方向の長さと略等しくなる。バルーン７は塩化ビニールなどの軟質可撓性部材で構成されている。複数本の蛇腹状バルーン７の一端（図９の図示上側）は送風チューブ１４ａの一端に接続されている。
【００４８】
送風チューブ１４ａの他端にはワンタッチジョイント１６より送風チューブ１４ｂの一端が接続されている。ワンタッチジョイント１６は送風チューブ１４ｂの一端に取付けられている。送風チューブ１４ｂの他端は真空ポンプ３１に接続されている。なお、送風チューブ１４ｂの他端はバルーン７の送風する場合には真空ポンプ３１の排気口に接続され、バルーン７内の空気を排気する場合には真空ポンプ３１の吸引口に接続されるが図示を簡単にするため一個所に接続して示している。
【００４９】
この構成において、装着者が排尿すると真空ポンプ３１を駆動して尿タンク２１に導き蓄えることは上述の実施例と同じである。この状態においては収尿材３ａとバルーン７は図１０（ａ）に示すようになっている。
【００５０】
制御基板３４に搭載されている制御装置は尿センサ１２から尿検知信号を入力し真空ポンプ３１を起動してから設定時間後に送風チューブ１４ｂの他端を真空ポンプ３１の排気口に接続しバルーン７に送風する。設定時間は装着者の排尿時間により定められ、例えば、３０秒〜６０秒に設定される。
【００５１】
バルーン７は送風されると尿レシーバ１の幅方向に拡張する。収尿材３ａはバルーン７の幅方向拡張により圧縮され、幅方向厚みが漸次小さくなる。バルーン７に送風を続けると、収尿材３ａとバルーン７は図１０（ｂ）に示す状態になる。複数本のバルーン７は図１０（ｂ）の状態になると収尿材３ｂの遮蔽膜を形成する。
【００５２】
収尿材３ｂは上面を表面シート２とバルーン７により覆われるので通気の気密性を一層高くすることができる。したがって、収尿材３ｂは強く圧縮されて尿が搾り出されるので尿の回収率が向上し尿レシーバ１の残尿量を少なくすることができる。
【００５３】
制御基板３４に搭載されている制御装置は真空ポンプ３１による尿吸引の終了後に送風チューブ１４ｂの他端を真空ポンプ３１の吸気口に接続しバルーン７内のバルーン７の中の空気を真空ポンプ３１で吸引して排気する。収尿材３ａとバルーン７は図１０（ａ）に示す状態になる。送風チューブ１４ｂの他端の真空ポンプ３１の排気口と吸気口への接続切替は、通常バルブで行われる。
【００５４】
バルーン７内の空気を全て排出したら真空ポンプ３１を停止し、切替バルブを元に戻して一連の動作を終了する。
【００５５】
このように、図８〜１０に示す実施例においても収尿材からの尿回収率をさらに向上させて尿レシーバの残尿量を低減でき、尿レシーバが装着者に不快感を与えることなく尿を回収でき、装置を小型かつ軽量化することができる。
【００５６】
以上のように、本発明は尿レシーバの収尿材からの尿回収率を向上させ尿レシーバの残尿量を低減できる。尿の回収率が向上すると吸引力の小さい小容量の真空ポンプで収尿材から吸尿できることになる。したがって、尿レシーバが装着者に不快感を与えることなく尿を回収でき、装置を小型かつ軽量化することができる。
【００５７】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行える。
【００５８】
なお、上述の実施例は外皮シートと表面シートが非通気性あるいは難通気性としているが、収尿材の通気の気密性を高めれば同様な効果が得られ若干通気性があっても良いことは勿論のことである。
【００５９】
また、外皮シートは断面コ字型としているが、略コ字型であればよくＵ字型や「ひ」字型などの形状であっても明らかなことである。
【００６０】
【発明の効果】
本発明は尿レシーバからの尿回収率を向上させ尿レシーバの残尿量を低減できるので、小容量の真空ポンプにより吸尿でき尿レシーバが装着者に不快感を与えることなく尿を回収でき、装置を小型かつ軽量化することができる。
【００６１】
また、装置を小型かつ軽量化することができるので、特に携帯用の自動排尿処理装置として用いると顕著な効果を奏し得る。さらに、装置を小型かつ軽量化し、真空ポンプで余分な空気を吸引しないので騒音を小さくできるので夜間に病室で利用しても他人に迷惑をかけることなく尿処理を行なえる。
【図面の簡単な説明】
【図１】本発明の一実施例を示す全体構成図である。
【図２】尿レシーバの一例詳細構成図である。
【図３】図２Ａ−Ａ断面図である。
【図４】図２のＢ矢視観断面図である。
【図５】尿レシーバの装着状態を示す図である。
【図６】本発明を説明するための特性図である。
【図７】本発明の尿レシーバの他の一例を示す構成図である。
【図８】本発明の他の実施例を示す全体構成図である。
【図９】本発明の他の実施例の尿レシーバの一例詳細構成図である。
【図１０】図９のＣ−Ｄ拡大断面図である。
【符号の説明】
１…尿レシーバ、２…表面シート、３、３ａ、３ｂ…収尿材、４…外皮シート、５…ギャザー、６…ずれ止めテープ、７…蛇腹状バルーン、１１ａ、１１ｂ…導尿チューブ、１１ｃ…吸引チューブ１１、１２…尿センサ、１３、１６…ワンタッチジョイント、１４ａ，１４ｂ…送風チューブ、２１…尿タンク、２２…尿タンク蓋、３１…真空ポンプ、３２…モータ、３３…バッテリ、３４…制御基板４１…下着。
【図１】
0004316902.tif 000002
【図２】
0004316902.tif 000003
【図３】
0004316902.tif 000004
【図４】
0004316902.tif 000005
【図５】
0004316902.tif 000006
【図６】
0004316902.tif 000007
【図７】
0004316902.tif 000008
【図８】
0004316902.tif 000009
【図９】
0004316902.tif 000010
【図１０】
0004316902.tif 000011